【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
印刷データと、利用者を識別する第１の利用者識別情報とを対応付けた第１の対応情報を記憶する印刷データ記憶部を備えているとともに、
印刷データに基づいて印刷を実行する画像形成装置を備えた印刷システムにおいて用いられる印刷データ蓄積装置であって、
画像形成装置から前記第１の利用者識別情報を受信する識別情報受信手段と、
前記第１の対応情報に基づいて、前記識別情報受信手段により受信した前記第１の利用者識別情報に対応付けられた前記印刷データを前記画像形成装置に送信する印刷データ送信手段と、
を備えることを特徴とする印刷データ蓄積装置。
【請求項２】
印刷データと、利用者を識別する第１の利用者識別情報とを対応付けた第１の対応情報を記憶する印刷データ記憶部を備えているとともに、
印刷データに基づいて印刷を実行する画像形成装置と、当該画像形成装置を制御する制御装置とを備えた印刷システムにおいて用いられる印刷データ蓄積装置であって、
前記制御装置から前記第１の利用者識別情報を受信する識別情報受信手段と、
前記第１の対応情報に基づいて、前記識別情報受信手段により受信した前記第１の利用者識別情報に対応付く前記印刷データを前記制御装置に送信する印刷データ送信手段と、
を備えることを特徴とする印刷データ蓄積装置。
【請求項３】
印刷データの一覧を表示する表示手段に更に接続されており、
前記第１の対応情報に基づいて、前記識別情報受信手段により受信した前記第１の利用者識別情報に対応付く前記印刷データを一覧表示するときに用いられる一覧情報を送信する手段と、
表示手段に表示された前記印刷データの一覧から選択された印刷データの取得要求を受信する手段とを更に備え、
前記印刷データ送信手段は、前記選択された印刷データを送信することを特徴とする請求項１又は２に記載の印刷データ蓄積装置。
【請求項４】
前記第１の利用者識別情報と、クライアント端末において利用者の認証に用いられる第２の利用者識別情報とを対応付けた利用者情報を記憶している管理装置と、前記クライア
ント端末とにネットワークを介して更に接続されており、
前記クライアント端末から印刷データおよび前記第２の利用者識別情報を受信する印刷データ受信手段と、
印刷データ受信手段により受信した前記第２の利用者識別情報に対応付く前記第１の利用者識別情報を特定する要求を前記管理装置に送信する手段と、
前記管理装置の前記利用者情報に基づいて特定した、印刷データ受信手段により受信した前記第２の利用者識別情報に対応付く前記第１の利用者識別情報と、前記クライアント端末から受信した印刷データとを対応付けた前記第１の対応情報を前記印刷データ記憶部に記憶する対応情報記憶手段と
を更に備えたことを特徴とする請求項１乃至３のいずれか１項に記載の印刷データ蓄積装置。
【請求項５】
印刷データを受信したときに、当該印刷データを識別する印刷データ識別情報を前記印刷データに付与する手段と、
前記印刷データ識別情報を前記印刷データに対応付けて前記印刷データ記憶部に記憶する手段と、
前記第１の利用者識別情報と前記印刷データ識別情報とを対応付けた前記第１の対応情報を前記印刷データ記憶部に記憶する手段と、
を更に備えたことを特徴とする請求項１乃至４のいずれか１項に記載の印刷データ蓄積装置。
【請求項６】
印刷データを記憶する印刷データ蓄積装置とネットワークを介して接続されているとともに、記録媒体を識別する記録媒体識別子を読み取る読取手段に接続されており、
前記印刷データ蓄積装置を備えた印刷システムにおいて用いられる画像形成装置であって、
記録媒体に記録された記録媒体識別情報を、前記読取手段を介して取得する手段と、
前記記録媒体識別情報と利用者を識別する利用者識別情報とが対応付いた第２の対応情報に基づいて、前記取得する手段によって取得した前記記録媒体識別情報に対応する前記利用者識別情報を特定する手段と、
前記特定する手段により特定した前記利用者識別情報に基づいて、前記印刷データ蓄積装置から前記印刷データを取得する手段と、
を備えることを特徴とする画像形成装置。
【請求項７】
印刷データの一覧を表示する表示手段を備えており、
前記特定する手段により特定した前記利用者識別情報に対応付けられた印刷データの一覧を表示するために用いる一覧表示情報を、前記印刷データ蓄積装置から取得する手段と、
前記一覧情報に基づき、前記表示手段に前記印刷データの一覧を表示する手段とを更に備え、
前記印刷データを取得する手段は、前記表示手段に表示した前記印刷データの一覧から選択された前記印刷データを取得することを特徴とする請求項６に記載の画像形成装置。
【請求項８】
印刷データを記憶する印刷データ蓄積装置と、印刷データに基づいて印刷を実行する画像形成装置に接続されて当該画像形成装置を制御する制御装置とがネットワークを介して接続されているとともに、記録媒体識別情報を読み取る読取手段に接続されている制御装置であって、
記録媒体に記録された記録媒体識別情報を、前記読取手段を介して取得する手段と、
前記記録媒体識別情報と利用者を識別する利用者識別情報とが対応付いた認証情報に基づいて、前記取得する手段によって取得した前記記録媒体識別情報に対応する前記利用者識別情報を特定する手段と、
前記特定する手段により特定した前記利用者識別情報に基づいて、前記印刷データ蓄積装置から前記印刷データを取得する手段と、
当該印刷データを前記画像形成装置に送信する手段と、
を備えることを特徴とする制御装置。
【請求項９】
前記特定する手段により特定した前記利用者識別情報に基づいて、前記印刷データ蓄積装置が記憶する前記印刷データの一覧を表示するときに用いられる一覧情報を取得する手段と、
前記一覧情報に基づき、表示手段に前記印刷データの一覧を表示する手段とを更に備え、
前記印刷データを取得する手段は、前記表示手段に表示した前記印刷データの一覧から選択された前記印刷データを取得する手段であることを特徴とする請求項８に記載の制御装置。
【請求項１０】
画像形成装置において印刷が実行される印刷データを記憶する印刷データ蓄積装置と、印刷データ蓄積装置が受信して記憶する印刷データを送信するクライアント端末とにネットワークを介して接続されており、
前記画像形成装置を利用するときの利用者の認証において用いられる第１の利用者識別情報と、前記クライアント端末において利用者の認証に用いられる第２の利用者識別情報とを対応付けた利用者情報を記憶する認証マスタデータ記憶部を備えた管理装置であって、
前記第２の利用者識別情報と、当該第２の利用者識別情報に対応付く前記第１の利用者識別情報を特定する要求とを受信する手段と、
当該要求に応じて、前記利用者情報に基づき当該第２の利用者識別情報に対応付く前記第１の利用者識別情報を特定する手段と、
当該第１の利用者識別情報を当該要求の要求元に送信する手段と、
を備えることを特徴とする管理装置。
【請求項１１】
印刷データと、利用者を識別する第１の利用者識別情報とを対応付けた第１の対応情報を記憶する印刷データ記憶部を備えているとともに、
印刷データに基づいて印刷を実行する画像形成装置を備えた印刷システムにおいて用いられる印刷データ蓄積装置において印刷データを蓄積するためのプログラムであって、
前記印刷データ蓄積装置を、
画像形成装置から前記第１の利用者識別情報を受信する識別情報受信手段、及び
前記第１の対応情報に基づいて、前記識別情報受信手段により受信した前記第１の利用者識別情報に対応付く前記印刷データを前記画像形成装置に送信する印刷データ送信手段
として機能させることを特徴とする印刷データ蓄積プログラム。
【請求項１２】
印刷データと、利用者を識別する第１の利用者識別情報とを対応付けた第１の対応情報を記憶する印刷データ記憶部を備えているとともに、
印刷データに基づいて印刷を実行する画像形成装置と、当該画像形成装置を制御する制御装置とを備えた印刷システムにおいて用いられる印刷データ蓄積装置において印刷データを蓄積するためのプログラムであって、
前記印刷データ蓄積装置を、
前記制御装置から前記第１の利用者識別情報を受信する識別情報受信手段、及び
前記第１の対応情報に基づいて、前記識別情報受信手段により受信した前記第１の利用者識別情報に対応付く前記印刷データを前記制御装置に送信する印刷データ送信手段
として機能させることを特徴とする印刷データ蓄積プログラム。
【請求項１３】
印刷データを記憶する印刷データ蓄積装置とネットワークを介して接続されているとと
もに、記録媒体を識別する記録媒体識別子を読み取る読取手段に接続されており、
前記印刷データ蓄積装置を備えた印刷システムにおいて用いられる画像形成装置において画像を形成するためのプログラムであって、
前記画像形成装置を、
記録媒体に記録された記録媒体識別情報を、前記読取手段を介して取得する手段、
前記記録媒体識別情報と利用者を識別する利用者識別情報とが対応付いた第２の対応情報に基づいて、前記取得する手段によって取得した前記記録媒体識別情報に対応する前記利用者識別情報を特定する手段、及び
前記特定する手段により特定した前記利用者識別情報に基づいて、前記印刷データ蓄積装置から前記印刷データを取得する手段、
として機能させることを特徴とする画像形成プログラム。
【請求項１４】
印刷データを記憶する印刷データ蓄積装置と、印刷データに基づいて印刷を実行する画像形成装置に接続されて当該画像形成装置を制御する制御装置とがネットワークを介して接続されているとともに、記録媒体識別情報を読み取る読取手段に接続されている制御装置において制御するためのプログラムであって、
前記制御装置を、
記録媒体に記録された記録媒体識別情報を、前記読取手段を介して取得する手段、
前記記録媒体識別情報と利用者を識別する利用者識別情報とが対応付いた認証情報に基づいて、前記取得する手段によって取得した前記記録媒体識別情報に対応する前記利用者識別情報を特定する手段、
前記特定する手段により特定した前記利用者識別情報に基づいて、前記印刷データ蓄積装置から前記印刷データを取得する手段、及び
当該印刷データを前記画像形成装置に送信する手段
として機能させることを特徴とする制御プログラム。
【請求項１５】
画像形成装置において印刷が実行される印刷データを記憶する印刷データ蓄積装置と、印刷データ蓄積装置が受信して記憶する印刷データを送信するクライアント端末とにネットワークを介して接続されており、
前記画像形成装置を利用するときの利用者の認証において用いられる第１の利用者識別情報と、前記クライアント端末において利用者の認証に用いられる第２の利用者識別情報とを対応付けた利用者情報を記憶する認証マスタデータ記憶部を備えた管理装置において管理するためのプログラムであって、
前記管理装置を、
前記第２の利用者識別情報と、当該第２の利用者識別情報に対応付く前記第１の利用者識別情報を特定する要求とを受信する手段、
当該要求に応じて、前記利用者情報に基づき当該第２の利用者識別情報に対応付く前記第１の利用者識別情報を特定する手段、及び
当該第１の利用者識別情報を当該要求の要求元に送信する手段
として機能させることを特徴とする管理プログラム。
【請求項１６】
請求項１１乃至１５のいずれか１項に記載のプログラムが記録されたコンピュータが読み取り可能な情報記録媒体。
【手続補正２】
【補正対象書類名】明細書
【補正対象項目名】発明の名称
【補正方法】変更
【補正の内容】
【発明の名称】印刷データ蓄積装置、画像形成装置、制御装置、管理装置、印刷データ蓄積プログラム、画像形成プログラム、制御プログラム、管理プログラム及び情報記録媒体
【手続補正３】
【補正対象書類名】明細書
【補正対象項目名】０００１
【補正方法】変更
【補正の内容】
【０００１】
本発明は、印刷データ蓄積装置、画像形成装置、制御装置、管理装置、印刷データ蓄積プログラム、画像形成プログラム、制御プログラム、管理プログラム及び情報記録媒体に関する。
【手続補正４】
【補正対象書類名】明細書
【補正対象項目名】０００６
【補正方法】変更
【補正の内容】
【０００６】
本発明は、上述の課題に鑑みてなされ、その目的は、複合機において、より高いセキュリティを維持しながら効率的に処理を行なうことができる印刷データ蓄積装置、画像形成装置、制御装置、管理装置、印刷データ蓄積プログラム、画像形成プログラム、制御プログラム、管理プログラム及び情報記録媒体を提供することにある。
【手続補正５】
【補正対象書類名】明細書
【補正対象項目名】０００７
【補正方法】変更
【補正の内容】
【０００７】
上記問題点を解決するために、請求項１に記載の発明は、印刷データと、利用者を識別する第１の利用者識別情報とを対応付けた第１の対応情報を記憶する印刷データ記憶部を備えているとともに、印刷データに基づいて印刷を実行する画像形成装置を備えた印刷システムにおいて用いられる印刷データ蓄積装置であって、画像形成装置から前記第１の利用者識別情報を受信する識別情報受信手段と、前記第１の対応情報に基づいて、前記識別情報受信手段により受信した前記第１の利用者識別情報に対応付けられた前記印刷データを前記画像形成装置に送信する印刷データ送信手段と、を備えることを要旨とする。
【手続補正６】
【補正対象書類名】明細書
【補正対象項目名】０００８
【補正方法】変更
【補正の内容】
【０００８】
請求項２に記載の発明は、印刷データと、利用者を識別する第１の利用者識別情報とを対応付けた第１の対応情報を記憶する印刷データ記憶部を備えているとともに、印刷データに基づいて印刷を実行する画像形成装置と、当該画像形成装置を制御する制御装置とを備えた印刷システムにおいて用いられる印刷データ蓄積装置であって、前記制御装置から前記第１の利用者識別情報を受信する識別情報受信手段と、前記第１の対応情報に基づいて、前記識別情報受信手段により受信した前記第１の利用者識別情報に対応付く前記印刷データを前記制御装置に送信する印刷データ送信手段と、を備えることを要旨とする。
【手続補正７】
【補正対象書類名】明細書
【補正対象項目名】０００９
【補正方法】変更
【補正の内容】
【０００９】
請求項３に記載の発明は、請求項１又は２に記載の印刷データ蓄積装置において、印刷データの一覧を表示する表示手段に更に接続されており、前記第１の対応情報に基づいて、前記識別情報受信手段により受信した前記第１の利用者識別情報に対応付く前記印刷データを一覧表示するときに用いられる一覧情報を送信する手段と、表示手段に表示された前記印刷データの一覧から選択された印刷データの取得要求を受信する手段とを更に備え、前記印刷データ送信手段は、前記選択された印刷データを送信することを要旨とする。
【手続補正８】
【補正対象書類名】明細書
【補正対象項目名】００１０
【補正方法】変更
【補正の内容】
【００１０】
請求項４に記載の発明は、請求項１乃至３のいずれか１項に記載の印刷データ蓄積装置において、前記第１の利用者識別情報と、クライアント端末において利用者の認証に用いられる第２の利用者識別情報とを対応付けた利用者情報を記憶している管理装置と、前記クライアント端末とにネットワークを介して更に接続されており、前記クライアント端末から印刷データおよび前記第２の利用者識別情報を受信する印刷データ受信手段と、印刷データ受信手段により受信した前記第２の利用者識別情報に対応付く前記第１の利用者識別情報を特定する要求を前記管理装置に送信する手段と、前記管理装置の前記利用者情報に基づいて特定した、印刷データ受信手段により受信した前記第２の利用者識別情報に対応付く前記第１の利用者識別情報と、前記クライアント端末から受信した印刷データとを対応付けた前記第１の対応情報を前記印刷データ記憶部に記憶する対応情報記憶手段とを更に備えたことを要旨とする。
【手続補正９】
【補正対象書類名】明細書
【補正対象項目名】００１１
【補正方法】変更
【補正の内容】
【００１１】
請求項５に記載の発明は、請求項１乃至４のいずれか１項に記載の印刷データ蓄積装置において、印刷データを受信したときに、当該印刷データを識別する印刷データ識別情報を前記印刷データに付与する手段と、前記印刷データ識別情報を前記印刷データに対応付けて前記印刷データ記憶部に記憶する手段と、前記第１の利用者識別情報と前記印刷データ識別情報とを対応付けた前記第１の対応情報を前記印刷データ記憶部に記憶する手段と、を更に備えたことを要旨とする。
【手続補正１０】
【補正対象書類名】明細書
【補正対象項目名】００１２
【補正方法】変更
【補正の内容】
【００１２】
請求項６に記載の発明は、印刷データを記憶する印刷データ蓄積装置とネットワークを介して接続されているとともに、記録媒体を識別する記録媒体識別子を読み取る読取手段に接続されており、前記印刷データ蓄積装置を備えた印刷システムにおいて用いられる画像形成装置であって、記録媒体に記録された記録媒体識別情報を、前記読取手段を介して取得する手段と、前記記録媒体識別情報と利用者を識別する利用者識別情報とが対応付いた第２の対応情報に基づいて、前記取得する手段によって取得した前記記録媒体識別情報に対応する前記利用者識別情報を特定する手段と、前記特定する手段により特定した前記
利用者識別情報に基づいて、前記印刷データ蓄積装置から前記印刷データを取得する手段と、を備えることを要旨とする。
【手続補正１１】
【補正対象書類名】明細書
【補正対象項目名】００１３
【補正方法】変更
【補正の内容】
【００１３】
請求項７に記載の発明は、請求項６に記載の画像形成装置において、印刷データの一覧を表示する表示手段を備えており、前記特定する手段により特定した前記利用者識別情報に対応付けられた印刷データの一覧を表示するために用いる一覧表示情報を、前記印刷データ蓄積装置から取得する手段と、前記一覧情報に基づき、前記表示手段に前記印刷データの一覧を表示する手段とを更に備え、前記印刷データを取得する手段は、前記表示手段に表示した前記印刷データの一覧から選択された前記印刷データを取得することを要旨とする。
【手続補正１２】
【補正対象書類名】明細書
【補正対象項目名】００１４
【補正方法】変更
【補正の内容】
【００１４】
請求項８に記載の発明は、印刷データを記憶する印刷データ蓄積装置と、印刷データに基づいて印刷を実行する画像形成装置に接続されて当該画像形成装置を制御する制御装置とがネットワークを介して接続されているとともに、記録媒体識別情報を読み取る読取手段に接続されている制御装置であって、記録媒体に記録された記録媒体識別情報を、前記読取手段を介して取得する手段と、前記記録媒体識別情報と利用者を識別する利用者識別情報とが対応付いた認証情報に基づいて、前記取得する手段によって取得した前記記録媒体識別情報に対応する前記利用者識別情報を特定する手段と、前記特定する手段により特定した前記利用者識別情報に基づいて、前記印刷データ蓄積装置から前記印刷データを取得する手段と、当該印刷データを前記画像形成装置に送信する手段と、を備えることを要旨とする。
【手続補正１３】
【補正対象書類名】明細書
【補正対象項目名】００１５
【補正方法】変更
【補正の内容】
【００１５】
請求項９に記載の発明は、請求項８に記載の制御装置において、前記特定する手段により特定した前記利用者識別情報に基づいて、前記印刷データ蓄積装置が記憶する前記印刷データの一覧を表示するときに用いられる一覧情報を取得する手段と、前記一覧情報に基づき、表示手段に前記印刷データの一覧を表示する手段とを更に備え、前記印刷データを取得する手段は、前記表示手段に表示した前記印刷データの一覧から選択された前記印刷データを取得する手段であることを要旨とする。
【手続補正１４】
【補正対象書類名】明細書
【補正対象項目名】００１６
【補正方法】変更
【補正の内容】
【００１６】
請求項１０に記載の発明は、画像形成装置において印刷が実行される印刷データを記憶
する印刷データ蓄積装置と、印刷データ蓄積装置が受信して記憶する印刷データを送信するクライアント端末とにネットワークを介して接続されており、前記画像形成装置を利用するときの利用者の認証において用いられる第１の利用者識別情報と、前記クライアント端末において利用者の認証に用いられる第２の利用者識別情報とを対応付けた利用者情報を記憶する認証マスタデータ記憶部を備えた管理装置であって、前記第２の利用者識別情報と、当該第２の利用者識別情報に対応付く前記第１の利用者識別情報を特定する要求とを受信する手段と、当該要求に応じて、前記利用者情報に基づき当該第２の利用者識別情報に対応付く前記第１の利用者識別情報を特定する手段と、当該第１の利用者識別情報を当該要求の要求元に送信する手段と、を備えることを要旨とする。
【手続補正１５】
【補正対象書類名】明細書
【補正対象項目名】００１７
【補正方法】変更
【補正の内容】
【００１７】
請求項１１に記載の発明は、印刷データと、利用者を識別する第１の利用者識別情報とを対応付けた第１の対応情報を記憶する印刷データ記憶部を備えているとともに、印刷データに基づいて印刷を実行する画像形成装置を備えた印刷システムにおいて用いられる印刷データ蓄積装置において印刷データを蓄積するためのプログラムであって、前記印刷データ蓄積装置を、画像形成装置から前記第１の利用者識別情報を受信する識別情報受信手段、及び前記第１の対応情報に基づいて、前記識別情報受信手段により受信した前記第１の利用者識別情報に対応付く前記印刷データを前記画像形成装置に送信する印刷データ送信手段として機能させることを要旨とする。
【手続補正１６】
【補正対象書類名】明細書
【補正対象項目名】００１８
【補正方法】変更
【補正の内容】
【００１８】
請求項１２に記載の発明は、印刷データと、利用者を識別する第１の利用者識別情報とを対応付けた第１の対応情報を記憶する印刷データ記憶部を備えているとともに、
印刷データに基づいて印刷を実行する画像形成装置と、当該画像形成装置を制御する制御装置とを備えた印刷システムにおいて用いられる印刷データ蓄積装置において印刷データを蓄積するためのプログラムであって、前記印刷データ蓄積装置を、前記制御装置から前記第１の利用者識別情報を受信する識別情報受信手段、及び前記第１の対応情報に基づいて、前記識別情報受信手段により受信した前記第１の利用者識別情報に対応付く前記印刷データを前記制御装置に送信する印刷データ送信手段として機能させることを要旨とする。
【手続補正１７】
【補正対象書類名】明細書
【補正対象項目名】００１９
【補正方法】変更
【補正の内容】
【００１９】
請求項１３に記載の発明は、印刷データを記憶する印刷データ蓄積装置とネットワークを介して接続されているとともに、記録媒体を識別する記録媒体識別子を読み取る読取手段に接続されており、前記印刷データ蓄積装置を備えた印刷システムにおいて用いられる画像形成装置において画像を形成するためのプログラムであって、前記画像形成装置を、記録媒体に記録された記録媒体識別情報を、前記読取手段を介して取得する手段、前記記録媒体識別情報と利用者を識別する利用者識別情報とが対応付いた第２の対応情報に基づ
いて、前記取得する手段によって取得した前記記録媒体識別情報に対応する前記利用者識別情報を特定する手段、及び前記特定する手段により特定した前記利用者識別情報に基づいて、前記印刷データ蓄積装置から前記印刷データを取得する手段、として機能させることを要旨とする。
【手続補正１８】
【補正対象書類名】明細書
【補正対象項目名】００２０
【補正方法】変更
【補正の内容】
【００２０】
請求項１４に記載の発明は、印刷データを記憶する印刷データ蓄積装置と、印刷データに基づいて印刷を実行する画像形成装置に接続されて当該画像形成装置を制御する制御装置とがネットワークを介して接続されているとともに、記録媒体識別情報を読み取る読取手段に接続されている制御装置において制御するためのプログラムであって、前記制御装置を、記録媒体に記録された記録媒体識別情報を、前記読取手段を介して取得する手段、前記記録媒体識別情報と利用者を識別する利用者識別情報とが対応付いた認証情報に基づいて、前記取得する手段によって取得した前記記録媒体識別情報に対応する前記利用者識別情報を特定する手段、前記特定する手段により特定した前記利用者識別情報に基づいて、前記印刷データ蓄積装置から前記印刷データを取得する手段、及び当該印刷データを前記画像形成装置に送信する手段として機能させることを要旨とする。
【手続補正１９】
【補正対象書類名】明細書
【補正対象項目名】００２１
【補正方法】変更
【補正の内容】
【００２１】
請求項１５に記載の発明は、画像形成装置において印刷が実行される印刷データを記憶する印刷データ蓄積装置と、印刷データ蓄積装置が受信して記憶する印刷データを送信するクライアント端末とにネットワークを介して接続されており、前記画像形成装置を利用するときの利用者の認証において用いられる第１の利用者識別情報と、前記クライアント端末において利用者の認証に用いられる第２の利用者識別情報とを対応付けた利用者情報を記憶する認証マスタデータ記憶部を備えた管理装置において管理するためのプログラムであって、前記管理装置を、前記第２の利用者識別情報と、当該第２の利用者識別情報に対応付く前記第１の利用者識別情報を特定する要求とを受信する手段、当該要求に応じて、前記利用者情報に基づき当該第２の利用者識別情報に対応付く前記第１の利用者識別情報を特定する手段、及び当該第１の利用者識別情報を当該要求の要求元に送信する手段として機能させることを要旨とする。
【手続補正２０】
【補正対象書類名】明細書
【補正対象項目名】００２２
【補正方法】変更
【補正の内容】
【００２２】
請求項１６に記載の発明は、請求項１１乃至１５のいずれか１項に記載のプログラムが記録されたコンピュータが読み取り可能な情報記録媒体であることを要旨とする。
【手続補正２１】
【補正対象書類名】明細書
【補正対象項目名】００２３
【補正方法】削除
【補正の内容】